(57)【要約】【課題】指定された放送番組について，データ記録媒体の残容量が不足する等の理由により，自装置で録画処理を完了させることができない場合であっても，データ記録媒体に無駄な空き領域を極力生じさせずに，指定された放送番組全体の録画データを記録できること。【解決手段】指定番組の全体について番組録画手段により録画処理を完了させることができない録画完了不可状態であるか否かを判別し（Ｓ１０５），録画完了不可状態である場合に，前記指定番組の一部について前記番組録画手段に録画処理を実行させる（Ｓ３１１）とともに，前記指定番組の残りの一部について分担して録画処理を行うことを，通信手段を通じて他の録画装置に対して指示する（Ｓ１１１）。【選択図】図２
2008263296.tif 000002
【特許請求の範囲】
【請求項１】
受信された放送信号に基づいて，録画対象として予め指定された放送番組である指定番組の録画データ及びその識別情報を所定のデータ記録媒体に記録する録画処理を行う番組録画手段を備えた録画装置であって，
１又は複数の他の録画装置との間で通信を行う通信手段と，
前記指定番組の全体について前記番組録画手段により前記録画処理を完了させることができない録画完了不可状態であるか否かを判別する録画完了可否判別手段と，
前記録画完了可否判別手段により前記録画完了不可状態であると判別された場合に，前記指定番組の一部について前記番組録画手段に前記録画処理を実行させるとともに，前記指定番組の残りの一部について分担して前記録画処理を行うことを，前記通信手段を通じて前記他の録画装置に対して指示する録画分担制御手段と，
を具備してなることを特徴とする録画装置。
【請求項２】
前記録画完了可否判別手段により前記録画完了不可状態であると判別された場合に，前記通信手段を通じて前記他の録画装置に所定の問合せを行うことにより，前記指定番組の一部について前記録画処理を分担させる前記他の録画装置を特定する分担録画装置特定手段を具備し，
前記録画分担制御手段が，前記分担録画装置特定手段により特定された前記他の録画装置に対して前記通信手段を通じた指示を行うものである請求項１に記載の録画装置。
【請求項３】
前記番組録画手段により記録される前記録画データ及び前記他の録画装置に記録させる前記録画データの録画順序に関する録画順序関連情報を前記データ記録媒体に記録する録画順序関連情報記録手段を具備してなる請求項１又は２のいずれかに記載の録画装置。
【請求項４】
前記指定番組の放送時間情報が予め記憶された放送時間情報記憶手段と，
前記データ記録媒体の残り容量に基づいて前記データ記録媒体への録画可能時間を算出する録画可能時間算出手段と，を具備し，
前記録画完了可否判別手段が，前記録画可能時間算出手段の算出結果と前記指定番組の放送時間情報との比較に基づいて前記録画完了不可状態であるか否かを判別する第１録画完了可否判別手段を具備してなる請求項１〜３のいずれかに記載の録画装置。
【請求項５】
前記指定番組の放送時間情報が予め記憶された放送時間情報記憶手段と，
前記指定番組の放送時間情報に基づいて，前記指定番組全体の前記録画処理に要する前記データ記録媒体の必要容量を算出する必要容量算出手段と，を具備し，
前記録画完了可否判別手段が，前記必要容量算出手段の算出結果と前記データ記録媒体の残り容量との比較に基づいて前記録画完了不可状態であるか否かを判別する第２録画完了可否判別手段を具備してなる請求項１〜３のいずれかに記載の録画装置。
【請求項６】
前記放送信号に基づいて前記指定番組の放送がコマーシャル放送中であるか否かを判別するＣＭ判別手段を具備し，
前記録画分担制御手段が，前記番組録画手段による前記録画処理を終了させる時点と，前記他の録画装置に前記録画処理の実行を開始させる時点とを，前記ＣＭ判別手段により前記指定番組の放送がコマーシャル放送中であると判別されている時間帯に設定してなる請求項４又は５のいずれかに記載の録画装置。
【請求項７】
前記録画完了可否判別手段が，前記番組録画手段による前記指定番組についての前記録画処理の実行中に該録画処理を続行できなくなる障害の発生有無を検知することによって前記録画完了不可状態であるか否かを判別する第３録画完了可否判別手段を具備してなる請求項１〜６のいずれかに記載の録画装置。
【請求項８】
受信された放送信号に基づいて放送番組の録画データ及びその識別情報を所定のデータ記録媒体に記録する録画処理を行う番組録画手段を備えた録画装置であって，
１又は複数の他の録画装置との間で通信を行う通信手段と，
前記通信手段を通じた前記他の録画装置からの所定の指示に従って，前記他の録画装置から指定される放送番組の一部についての前記録画処理を行う一部指定番組録画手段と，
を具備してなることを特徴とする録画装置。
【請求項９】
前記通信手段が，ＨＤＭＩ規格に準拠した信号伝送を行うものである請求項１〜８のいずれかに記載の録画装置。
【請求項１０】
所定のデータ記録媒体に予め記録された録画データの中から指定された指定録画データに基づいて映像信号を出力する再生処理を行う指定録画データ再生手段を備えた再生装置であって，
１又は複数の他の再生装置との間で通信を行う通信手段と，
前記指定録画データが，１つの放送番組の一部ずつについて複数の再生装置に分散して記録された複数の分散録画データのいずれかであるか否かを判別する分散録画データ判別手段と，
前記分散録画データ判別手段により前記指定録画データが前記分散録画データのいずれかであると判別された場合に，前記データ記録媒体に予め記憶された所定の録画順序関連情報に基づいて，又は該録画順序関連情報と前記通信手段を通じた前記他の再生装置に対する所定の問合せにより得られる録画順序に関する情報とに基づいて，前記分散録画データの再生順序を判別する再生順序判別手段と，
前記指定録画データ再生手段に前記指定録画データに基づく前記再生処理を行わせる処理，及び前記通信手段を通じて前記他の再生装置に指示することにより前記分散録画データに基づく前記再生処理を行なわせる処理を，前記生成順序判別手段の判別結果に従った順序で実行する分散録画データ再生制御手段と，
を具備してなることを特徴とする再生装置。
【請求項１１】
前記通信手段が，ＨＤＭＩ規格に準拠した信号伝送を行うものである請求項１０に記載の再生装置。
【発明の詳細な説明】
【技術分野】
【０００１】
本発明は，通信手段により他の録画装置と通信可能に構成された録画装置及びその録画装置により記録された録画データに基づく再生処理を行う再生装置に関するものである。
【背景技術】
【０００２】
一般に，昨今のディジタル録画方式の録画再生装置（録画装置及び再生装置の両機能を兼ね備えた装置）は，大容量のデータ記録媒体であるハードディスクやＤＶＤのドライブ装置を備え，受信された放送信号に基づいて放送番組の録画データ（デジタルデータ）及びその識別情報である番組コードを前記データ記録媒体に記録する録画処理と，その録画データに基づいて映像信号を出力する再生処理とを実行する。
また，ディジタル録画方式の録画再生装置は，テレビジョン放送やインターネットを通じて電子番組ガイド（ＥＰＧ）情報を取得し，そのＥＰＧ情報を含むメニュー画面を表示部に表示させることにより，リモコン等の操作部に対する操作入力に従って録画対象とする放送番組を選択（特定）する機能を備えている。このような録画再生装置は，前記データ記録媒体に，録画データの付加情報として放送番組の識別情報である番組コードや番組のタイトル，録画開始時刻及び録画終了時刻等を記録する。
そして，デジタル録画方式の録画再生装置は，その付加情報を含むメニュー画面を表示部に表示させることにより，リモコン等の操作部に対する操作入力に従って再生対象とする録画データを選択（特定）する機能を備えている。なお，前記番組コードや番組のタイトルは，ＥＰＧ情報に含まれる情報である。
【０００３】
一方，昨今の録画再生装置は，価格が低廉化して一家に複数台所有されることが多い。その場合，複数の録画再生装置及びテレビジョン受像機が，所定の信号伝送手段を通じて通信可能に接続されることがある。昨今，その信号伝送手段として，ＨＤＭＩインターフェースが採用されることが多い。
ＨＤＭＩインターフェースは，例えば特許文献２に示されるように，テレビジョン受像機と録画再生装置やセットトップボックス（ＳＴＢ）との間で信号伝送を行う手段の１つであり，ＨＤＭＩ規格に準拠した信号伝送手段である。このＨＤＭＩインターフェースは，外観上１本にまとめられたケーブルによってデジタルの映像信号及び音声信号を同時に伝送でき，シンプルな配線と劣化のない信号伝送とを実現できる。ここで，ＨＤＭＩインターフェースは，符号化されていない（非圧縮の）映像信号及び音声信号を伝送（ベースバンド方式で伝送）するため，機器間における信号の符号化方式の違いに影響されず，拡張性及び永続性（将来，新たな符号化方式を採用する機器とも接続できる可能性）に優れている。
なお，ＨＤＭＩインターフェースにおいて，映像信号及び音声信号を含む信号は，ＴＭＤＳ（Transition Minimized Differential Signaling）信号伝送ライン（以下，ＴＭＤＳラインという）を通じて高速伝送される。
また，ＨＤＭＩ規格は，さらにその中でＣＥＣ（Consumer Electronics Control）規格が規定されており，ＨＤＭＩインターフェースは，そのＣＴＣ規格に準拠した信号伝送ライン（以下，ＣＴＣラインという）を内包した信号伝送手段として構成される。このＣＴＣラインを内包するＨＤＭＩインターフェースは，ＴＭＤＳラインを通じた映像信号及び音声信号の伝送に加え，ＣＴＣラインを通じてその他の情報（制御情報など）を伝送することが可能である。なお，ＨＤＭＩインターフェースは，ＴＭＤＳラインを通じた映像信号及び音声信号の伝送は一方向にのみ可能であるがが，ＣＴＣラインを通じた情報伝送は双方向で可能である。
【特許文献１】特開２００６−０６７４９３号公報
【特許文献２】特開２００４−２０８２９０号公報
【発明の開示】
【発明が解決しようとする課題】
【０００４】
ところで，録画再生装置において，前記データ記録媒体の大容量化が進んでいるものの，多数の録画データが蓄積されると，前記データ記録媒体の残容量の不足により，新たに録画対象として指定された放送番組の全てを録画できない状況が生じる場合がある。この場合，前記データ記録媒体の空き領域が無駄になるという問題点があった。特に，昨今の録画再生装置は，価格が低廉化して一家に複数台所有されることが多く，複数の録画再生装置それぞれのデータ記録媒体に無駄な空き領域が生じると，全体として非常に多大な無駄が生じるという問題点があった。
これに対し，特許文献１には，ハードディスクドライブの録画可能領域の残容量が少ない場合に，ハードディスクドライブのタイムシフト領域の一部を録画データの記憶領域として用いる録画装置が示されている。
しかしながら，前記タイムシフト領域に記録可能なデータの容量はそれほど大きい容量ではない。このため，特許文献１に示される技術を採用しても，やはり録画データの記憶領域を十分に確保できず，前記データ記録媒体に無駄な空き領域が生じる問題を回避できない状況が多く発生するという問題点があった。
また，指定された放送番組について録画処理を実行中の録画再生装置に，その録画処理を続行できなくなる障害が発生した場合，その指定された放送番組の途中までの録画データしか記録されないという問題点もあった。
従って，本発明は上記事情に鑑みてなされたものであり，その目的とするところは，指定された放送番組について，データ記録媒体の残容量が不足する等の理由により，自装置で録画処理を完了させることができない場合であっても，データ記録媒体に無駄な空き領域を極力生じさせずに，指定された放送番組全体の録画データを記録できる録画装置，及びその録画装置により記録された録画データに基づく再生処理を行う再生装置を提供することにある。
【課題を解決するための手段】
【０００５】
上記目的を達成するために第１の発明は，受信された放送信号に基づいて，録画対象として予め指定された放送番組（以下，指定番組という）の録画データ及びその識別情報を所定のデータ記録媒体に記録する録画処理を行う番組録画手段を備え，さらに，次の（１−１）〜（１−３）に示す各構成要素を備えた録画装置である。
（１−１）１又は複数の他の録画装置との間で通信を行う通信手段。
（１−２）前記指定番組の全体について前記番組録画手段により前記録画処理を完了させることができない状態（以下，録画完了不可状態という）であるか否かを判別する録画完了可否判別手段。
（１−３）前記録画完了可否判別手段により前記録画完了不可状態であると判別された場合に，前記指定番組の一部について前記番組録画手段に前記録画処理を実行させるとともに，前記指定番組の残りの一部について分担して前記録画処理を行うことを，前記通信手段を通じて前記他の録画装置に対して指示する録画分担制御手段。
この第１の発明に係る録画装置は，自装置の前記データ記録媒体に無駄な空き容量が生じないように，前記指定番組のうちの一部について録画可能な範囲で自装置による録画処理を実行し，残りの一部については，その録画処理を他の録画装置に指示して分担させる。このため，第１の発明に係る録画装置が，自装置で前記指定番組についての録画処理を完了させることができない場合であっても，自装置のデータ記録媒体に無駄な空き領域を極力生じさせずに，当該録画装置を含む複数の録画装置によって前記指定番組全体の録画データを分担して記録できる。
【０００６】
また，前記第１の発明に係る録画装置が，さらに次の（１−４）に示す構成要素を備えることが考えられる。
（１−４）前記録画完了可否判別手段により前記録画完了不可状態であると判別された場合に，前記通信手段を通じて前記他の録画装置に所定の問合せを行うことにより，前記指定番組の一部について前記録画処理を分担させる前記他の録画装置を特定する分担録画装置特定手段。
なお，この場合，前記録画分担制御手段が，前記分担録画装置特定手段により特定された前記他の録画装置に対して前記通信手段を通じた指示を行う。
これにより，前記他の録画装置が複数存在する場合に，前記録画処理を分担させるのにより適した相手を特定することができる。例えば，前記録画データの記録可能容量が最も大きい前記他の録画装置を，前記録画処理を分担させる相手として特定すること等が考えられる。
また，前記第１の発明に係る録画装置が，さらに次の（１−５）に示す構成要素を備えることが考えられる。
（１−５）前記番組録画手段により記録される前記録画データ及び前記他の録画装置に記録させる前記録画データの記録順序に関する録画順序関連情報を前記データ記録媒体に記録する録画順序関連情報記録手段。
これにより，複数の録画装置により分担して記録された複数の前記録画データについて再生処理を実行する再生装置が，前記録画順序関連情報に基づいて複数の前記録画データの再生順序を自動的に制御することができる。
【０００７】
また，前記第１の発明に係る録画装置が，さらに次の（１−６）に示す構成要素と，（１−７ａ）及び（１−８ａ），又は（１−７ｂ）及び（１−８ｂ）に示す各構成要素とを備えることが考えられる。
（１−６）前記指定番組の放送時間情報が予め記憶された放送時間情報記憶手段。
（１−７ａ）前記データ記録媒体の残り容量に基づいて前記データ記録媒体への録画可能時間を算出する録画可能時間算出手段。
（１−８ａ）前記録画可能時間算出手段の算出結果と前記指定番組の放送時間情報との比較に基づいて前記録画完了不可状態であるか否かを判別する第１録画完了可否判別手段。
（１−７ｂ）前記指定番組の放送時間情報に基づいて，前記指定番組全体の前記録画処理に要する前記データ記録媒体の必要容量を算出する必要容量算出手段。
（１−８ｂ）前記必要容量算出手段の算出結果と前記データ記録媒体の残り容量との比較に基づいて前記録画完了不可状態であるか否かを判別する第２録画完了可否判別手段。
なお，前記第１録画完了可否判別手段及び前記第２録画完了可否判別手段は，前記録画完了可否判別手段に含まれるものである。
【０００８】
前記第１録画完了可否判別手段又は前記第２録画完了可否判別手段を備える録画装置は，前記指定番組についての前記録画処理において，前記データ記録媒体の残容量が不足する時点を事前に予測することができる。従って，前記指定番組について複数の録画装置で分担して録画処理を行うにあたり，前記番組録画手段による前記録画処理を終了させる時点と，前記他の録画装置に前記録画処理の実行を開始させる時点とをある程度調整することができる。
そこで，前記第１録画完了可否判別手段又は前記第２録画完了可否判別手段を備える録画装置が，さらに次の（１−９）及び（１−１０）に示す事項に該当するものであることが考えられる。
（１−９）前記放送信号に基づいて前記指定番組の放送がコマーシャル放送中であるか否かを判別するＣＭ判別手段を備えること。
（１−１０）前記録画分担制御手段が，前記番組録画手段による前記録画処理を終了させる時点と，前記他の録画装置に前記録画処理の実行を開始させる時点とを，前記ＣＭ判別手段により前記指定番組の放送がコマーシャル放送中であると判別されている時間帯に設定すること。
これにより，複数の録画装置により分担して記録された複数の前記録画データが，コマーシャル放送中の部分で区分される。その結果，複数の前記録画データを順次切り替えて再生処理を実行する場合に，その切り替えの際に前記指定番組の内容そのもの（コマーシャル以外の部分）が不連続な再生となって鑑賞し辛くなる状況を回避できる。
一方，前記録画完了可否判別手段が，前記番組録画手段による前記指定番組についての前記録画処理の実行中に該録画処理を続行できなくなる障害の発生有無を検知することによって前記録画完了不可状態であるか否かを判別する第３録画完了可否判別手段を備えることも考えられる。
【０００９】
また，第２の発明は，前記第１の発明に係る録画装置によって前記指定番組についての録画処理の分担を指示される側の録画装置に関する発明である。
即ち，第２の発明は，受信された放送信号に基づいて放送番組の録画データ及びその識別情報を所定のデータ記録媒体に記録する録画処理を行う番組録画手段を備え，さらに，次の（２−１）及び（２−２）に示す各構成要素を備えた録画装置である。
（２−１）１又は複数の他の録画装置との間で通信を行う通信手段。
（２−２）前記通信手段を通じた前記他の録画装置からの所定の指示に従って，前記他の録画装置から指定される放送番組の一部についての前記録画処理を行う一部指定番組録画手段。
この第２の発明に係る録画装置と，前記第１の発明に係る録画装置とが，前記通信手段により通信可能である場合に，前記データ記録媒体に無駄な空き領域を極力生じさせずに，前記指定番組全体の録画データを記録できる。
なお，以上に示した第１の発明及び第２の発明に係る録画装置が備える前記通信手段が，ＨＤＭＩ規格に準拠した信号伝送を行うもの（前記ＨＤＭＩインターフェース）であることが考えられる。
【００１０】
また，第３の発明は，前記第１の発明及び前記第２の発明に係る録画装置によって分担して記録された複数の前記録画データについて再生処理を実行する再生装置に関する発明である。
即ち，第３の発明は，所定のデータ記録媒体に予め記録された録画データの中から指定された指定録画データに基づいて映像信号を出力する再生処理を行う指定録画データ再生手段を備え，さらに，次の（３−１）〜（３−３）に示す各構成要素を備えた再生装置である。
（３−１）１又は複数の他の再生装置との間で通信を行う通信手段。
（３−２）前記指定録画データが，１つの放送番組の一部ずつについて複数の再生装置に分散して記録された複数の分散録画データのいずれかであるか否かを判別する分散録画データ判別手段。
（３−３）前記分散録画データ判別手段により前記指定録画データが前記分散録画データのいずれかであると判別された場合に，前記データ記録媒体に予め記憶された所定の録画順序関連情報に基づいて，又は該録画順序関連情報と前記通信手段を通じた前記他の再生装置に対する所定の問合せにより得られる録画順序に関する情報とに基づいて，前記分散録画データの再生順序を判別する再生順序判別手段。
（３−４）前記指定録画データ再生手段に前記指定録画データに基づく前記再生処理を行わせる処理，及び前記通信手段を通じて前記他の再生装置に指示することにより前記分散録画データに基づく前記再生処理を行なわせる処理を，前記生成順序判別手段の判別結果に従った順序で実行する分散録画データ再生制御手段。
この第３の発明に係る再生装置は，複数の録画装置により分担して記録された複数の録画データ（前記分散録画データ）について，その録画順序と同じ順序で自動的に再生処理が実行されるように自装置及び他装置を制御するものである。
また，前記再生装置が備える前記通信手段も，ＨＤＭＩ規格に準拠した信号伝送を行うもの（前記ＨＤＭＩインターフェース）であることが考えられる。
【発明の効果】
【００１１】
本発明に係る録画装置は，録画対象として指定された放送番組（前記指定番組）について，データ記録媒体の残容量が不足する等の理由により，自装置で録画処理を完了させることができない場合であっても，他の録画装置に録画処理を分担させることにより，データ記録媒体に無駄な空き領域を極力生じさせずに，指定された放送番組全体の録画データを記録することができる。
また，本発明に係る再生装置は，本発明に係る録画装置により分担して記録された複数の録画データについて，その録画順序と同じ順序で自動的に再生処理が実行されるように自装置及び他装置を制御する。その結果，複数の録画データ（前記分散録画データ）のそれぞれについて再生処理を開始させるというユーザの手間が省かれる。
【発明を実施するための最良の形態】
【００１２】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施形態に係る録画再生装置Ｙを含む録画システムＺの概略構成を表すブロック図，図２は録画システムＺにおける予約番組録画処理の手順を表すフローチャート，図３は録画システムＺにおける再生処理の手順を表すフローチャート，図４は録画再生装置Ｙが記録する録画データ付加情報のデータ構成の一例を表す図，図５は録画再生装置Ｙが他装置に通知する再生順序情報のデータ構成の一例を表す図である。
【００１３】
まず，図１に示すブロック図を用いて，本発明の実施形態に係る録画再生装置Ｙを含む録画システムＺの構成について説明する。
録画システムＺは，録画データをハードディスクに記録する録画機能及びその録画データの再生機能を備える複数（図１では２台）の録画再生装置Ｙと，映像表示部５を備えるテレビジョン受像機Ｘとが，ＨＤＭＩ規格に準拠した信号伝送手段であるＨＤＭＩインターフェースＷによって通信可能に構成されたシステムである。ここで，ＨＤＭＩインターフェースＷは，映像信号及び音声信号（いずれもデジタル信号）を伝送するＴＭＤＳライン４１と，ＨＤＭＩ規格のオプション規格であるＣＥＣ規格に準拠したＣＥＣライン４２（ＣＥＣ信号伝送ラインに相当）を含んでいる。なお，ＴＭＤＳライン４１は，複数本の信号ラインにより構成され，ＴＭＤＳライン４１及びＣＥＣライン４２は，見かけ上１本のＨＤＭＩケーブル４０として構成されている。
録画再生装置Ｙは，受信された放送信号に基づいて，録画対象として予め指定された放送番組（以下，指定番組という）の録画データ及びその識別情報である番組コードをハードディスク（データ記録媒体の一例）に記録する録画処理を実行する録画機能と，そのハードディスクに予め記録された録画データの中から指定されたものに基づいて映像信号を出力する再生処理を実行する再生機能とを備えた装置である（録画装置及び再生装置の一例）。なお，録画機能及び再生機能は，後述する録画・再生回路２２及びそれを制御する制御回路２４により実現される。
録画再生装置Ｙの特徴は，予約録画の対象として指定された放送番組について，ハードディスク（データ記録媒体の一例）の残容量が不足するために自装置で録画処理を完了させることができない場合に，指定された放送番組全体についての録画データを他の録画再生装置と分担して記録（録画）する機能を備える点にある。その詳細については後述する。
【００１４】
［録画再生装置Ｙ］
本発明の実施形態に係る録画再生装置Ｙは，図１に示すように，チューナ２１，録画・再生回路２２，ハードディスク２３，ＨＤＭＩ送信部２５ａ，ＣＥＣインターフェース２５ｂ，制御回路２４，リモコンインターフェース回路２６，リモコン２７及びサブＭＰＵ２８等を具備して構成されている。
前記チューナ２１は，地上波放送信号やＢＳ衛星放送信号等の放送信号から，前記制御回路２４により指示される放送チャンネルの信号を抽出（選局）するとともに，その抽出信号の検波によって映像信号及び音声信号を取り出し，その映像信号及び音声信号の各々を録画・再生回路２２へ伝送するものである。
【００１５】
前記録画・再生回路２２は，放送番組の録画処理及び録画番組の再生処理を実行するものである。即ち，録画・再生回路２２は，チューナ２１により抽出された番組の放送信号に基づいて，その放送番組についての映像信号及び音声信号を圧縮符号化した録画データをハードディスク２３に記録する録画処理を実行する。さらに，録画・再生回路２２は，ハードディスク２３に予め録画（記録）された放送番組の録画データを復号化しながらＨＤＭＩ送信部２５ａを通じて外部出力する再生処理を実行する。
また，前記録画・再生回路２２は，チューナ２１により抽出された番組の放送信号から，そこに含まれるＥＰＧ情報（電子番組ガイド情報）を抽出してハードディスク２３に記録するＥＰＧ取得機能も備えている。このＥＰＧ情報は，各放送番組についてその識別情報である番組コードやタイトルや放送時間（放送開始及び放送終了の日時）等の情報を含んでおり，録画予約処理の際の予約番組の選択メニュー画面を生成する処理や，録画処理の際に録画データとともにハードディスク２３に記録される録画データ付加情報の内容を特定する処理を実行する際に用いられる。
【００１６】
また，前記録画・再生回路２２は，チューナ２１により抽出された番組（チャンネル）の放送信号に基づいて，その放送番組（前記指定番組を含む）の放送がコマーシャル放送中であるか否かを判別するＣＭ判別機能も備えている（前記ＣＭ判別手段の一例）。
例えば，録画・再生装置２２が，チューナ２１により抽出された番組の音声信号に基づいて，例えば数秒間程度の平均的な音量の変化を検知し，その平均的な音量が所定レベル以上増大した場合に，放送番組の本編の放送状態からコマーシャルの放送状態に変化したと判別し，その状態から前記平均的な音量が所定レベル以上減衰した場合に，コマーシャルの放送状態から放送番組の本編の放送状態に変化したと判別することが考えられる。一般に，コマーシャルの放送中は，放送番組の本編の放送中に比べて音量が大きく設定されているからである。
或いは，録画・再生装置２２が，チューナ２１により抽出された番組の音声信号に基づいて，それがモノラル音声の状態からステレオ音声の状態に変化した場合に，放送番組の本編の放送状態からコマーシャルの放送状態に変化したと判別し，ステレオ音声の状態からモノラル音声の状態に変化した場合に，コマーシャルの放送状態から放送番組の本編の放送状態に変化したと判別することも考えられる。一般に，コマーシャルの放送はステレオ音声放送である場合が多く，放送番組の本編の放送はモノラル音声放送である場合が多いからである。
また，音量による判別と，音声信号のタイプ（モノラル／ステレオ）による判別とを組み合わせてコマーシャル放送中であるか否かを判別することも考えられる。
なお，コマーシャル放送中であるか否かの判別方法は，上記の方法に限らず他の方法を採用してもよい。
【００１７】
また，前記ＨＤＭＩ送信部２５ａ（図中，ＨＤＭＩ−ＴＸと表記）は，ＨＤＭＩ規格に準拠した信号伝送インターフェースである。このＨＤＭＩ送信部２５ａは，ＴＭＤＳライン４１を通じて，外部装置（ここでは，テレビジョン受像機Ｘ）に対し，ベースバンド方式で映像信号及び音声信号を出力する。
前記ＣＥＣインターフェース２５ｂは，ＨＤＭＩ規格におけるＣＥＣ規格に準拠した信号伝送インターフェースである。このＣＥＣインターフェース２５ｂは，ＣＥＣインターフェース２５ｂを通じて，外部装置（ここでは，他の録画再生装置Ｙ及びテレビジョン受像機Ｘ）との間で情報の送受信を行う。ＣＥＣインターフェース２５ｂの受信情報の直接の伝送先及び送信情報の直接の供給元は，サブＭＰＵ２８である。
【００１８】
前記リモコン２７は，当該録画再生装置Ｙの動作の制御用の無線信号（例えば，赤外線信号）を出力するリモート操作器であり，不図示の操作入力部や無線信号出力回路等を備えている。
前記操作入力部は，チャンネル選択キーや音量調節キーなど，情報入力のための操作部であり，その操作内容に応じた信号が前記無線信号出力回路に伝送される。また，前記無線信号出力回路は，前記操作入力部から伝送されてくる信号（即ち，録画再生装置Ｙの動作の制御信号）を，無線信号（例えば，赤外線信号）に変換し，当該リモコン２７から録画再生装置の本体側へ無線伝送するものである。
一方，前記リモコンインターフェース回路２６は，リモコン２７から伝送される無線信号（赤外線信号等）を受信し，これを電気信号に変換することにより，リモコン２７から伝送される各種情報を取得するとともに，その取得情報をサブＭＰＵ２８に伝送するものである。
前記サブＭＰＵ２８は，制御回路２４と，リモコンインターフェース回路２６及びＣＥＣインターフェース２５ｂとの間で情報伝送を中継する処理を実行するマイクロコンピュータである。
【００１９】
また，録画再生装置Ｙにおいて，ＨＤＭＩインターフェースＷの一部を構成するＨＤＭＩ送信部２５ａ及びＣＥＣインターフェース２５ｂと，サブＭＰＵ２８と，リモコンインターフェース回路２６とは，当該録画再生装置Ｙが商用電源に接続されている状態では，常時通電された状態となっている。一方，チューナ２１や制御回路２４，録画・再生回路２２及びハードディスク２３等は，当該録画再生装置Ｙが商用電源に接続されている状態において，それらへの通電がなされた稼動状態と，それらへの通電が遮断された待機状態との２状態に切り替えられる。その２状態の切り替えは，サブＭＰＵ２８が不図示の通電スイッチの切り替え制御を行うことにより実現される。
即ち，前記サブＭＰＵ２８は，当該録画再生装置Ｙが前記待機状態である場合に，リモコン２７からリモコンインターフェース回路２６を通じて電源キーの操作信号が受信されたこと，或いはテレビジョン受像機ＸからＣＥＣインターフェース２５ｂを通じて自装置宛の何らかのコマンドが受信されたことを検知すると，前記通電スイッチをＯＦＦ状態からＯＮ状態へ切り替えることにより，当該録画再生装置Ｙを前記待機状態から前記稼動状態へ切り替える（即ち，起動する）。
また，前記サブＭＰＵ２８は，当該録画再生装置Ｙが前記稼動状態である場合に，リモコン２７からリモコンインターフェース回路２６を通じて電源キーの操作信号が受信されたこと，或いはテレビジョン受像機ＸからＣＥＣインターフェース２５ｂを通じて停止コマンドが受信されたことを検知すると，前記通電スイッチをＯＮ状態からＯＦＦ状態へ切り替えることにより，当該録画再生装置Ｙを前記稼動状態から前記待機状態へ切り替える。
これにより，録画再生装置Ｙは，リモコン２７やテレビジョン受像機Ｘからのリモート制御によって，前記稼動状態と前記待機状態との切り替えが行われる。
【００２０】
前記制御回路２４は，演算手段であるＭＰＵ２４ａ，そのＭＰＵ２４ａによって実行される制御プログラムが予め格納される記憶手段であるＲＯＭ２４ｂ（ＥＰＲＯＭ），ＭＰＵ２４ａが実行する処理において読み書きされる各種情報を記憶するＥＥＰＲＯＭ２４ｃ等を備え，当該録画再生装置Ｙ全体を制御するものである。以下に示す制御回路２４の処理や機能は，ＭＰＵ２４ａがＲＯＭ２４ｂに記憶されたプログラムを実行することによって実現される。
また，前記制御回路２４は，前記録画・再生回路２２を制御することにより，前記録画・再生回路２２によってハードディスク２３に記録されたＥＰＧ情報と，同じく予めハードディスク２３に記録される番組予約情報とに基づいて，その番組予約情報により指定された放送番組についての録画データ及びその付加情報（以下，録画データ付加情報Ｄ０という）をハードディスク２３に記録する予約番組録画処理を実行する。ここで，前記番組予約情報は，制御回路２４がリモコン２７を通じた操作入力に従って予め設定し，ハードディスク２３に記録する情報である。前記番組予約情報には，録画開始時刻，録画終了時刻，録画する番組の放送チャンネル及びタイトル，並びに録画方式（録画画質）等が含まれる。なお，前記番組予約情報に含められる情報は，録画・再生回路２２によって抽出されたＥＰＧ情報に含まれる情報である。
【００２１】
図４は，前記録画データ付加情報Ｄ０のデータ構成の一例を表す図である。
前記録画データ付加情報Ｄ０は，例えば図４に示すように，放送番組の識別情報であるとともに，録画データの識別情報でもある番組識別コードｄ１と，その放送番組（録画データ）の内容を表す情報である番組タイトルｄ２及び放送チャンネルｄ３と，録画開始時刻ｄ４及び録画終了時刻ｄ５等とが関連付けられた情報である。制御回路２４は，録画・再生回路２２によって放送番組についての録画処理が実行される際に，その録画データに関連付けて前記録画データ付加情報Ｄ０（番組コードｄ１を含む）をハードディスク２３に記録する。なお，前記録画データ付加情報Ｄ０に含められる番組コードｄ１，番組タイトルｄ２及び放送チャンネルｄ３の各情報は，録画・再生回路２２によって抽出されたＥＰＧ情報に含まれる情報である。
【００２２】
［テレビジョン受像機Ｘ］
次に，前記テレビジョン受像機Ｘの構成について説明する。
前記テレビジョン受像機Ｘは，図１に示すように，チューナ１，２つのＨＤＭＩ受信部２ｘａ，２ｙａ，ＣＥＣインターフェース２ｘｂ，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２及びスピーカ１３等を具備して構成されている。
ここで，テレビジョン受像機Ｘにおけるチューナ１，リモコンインターフェース７，リモコン８及びサブＭＰＵ９は，それぞれ前記録画再生装置Ｙにおけるチューナ２１，リモコンインターフェース回路２６，リモコン２７及びサブＭＰＵ２８と同様のものである。なお，チューナ１により取り出された映像信号及び音声信号は，それぞれ映像切替回路３及び音声切替回路１０へ伝送される。
【００２３】
前記ＨＤＭＩ受信部２ｘａ，２ｙａ（図中，ＨＤＭＩ−ＲＸと表記）は，ＨＤＭＩ規格に準拠した信号伝送インターフェースである。このＨＤＭＩ受信部２ｘａ，２ｙａは，ＴＭＤＳライン４１を通じて，外部装置（ここでは，前記録画再生装置Ｙ）からベースバンド方式で映像信号及び音声信号を入力し，それらを映像切替回路３及び音声切替回路１０各々へ伝送する。
前記ＣＥＣインターフェース２ｘｂは，ＨＤＭＩ規格におけるＣＥＣ規格に準拠した信号伝送インターフェースである。このＣＥＣインターフェース２ｘｂは，ＣＥＣインターフェース２５ｂを通じて，外部装置（ここでは，録画再生装置Ｙ）との間で情報の送受信を行う。ＣＥＣインターフェース２ｘｂの受信情報の直接の伝送先及び送信情報の直接の供給元は，サブＭＰＵ９である。
図１に示す例では，テレビジョン受像機Ｘは，２台の録画再生装置Ｙそれぞれに対応する２つのＨＤＭＩ受信部２ｘａ，２ｙａを備えている。また，テレビジョン受像機Ｘは，２台の録画再生装置Ｙに対応するＣＥＣインターフェース２ｘｂを１つだけ備えている。
前記映像切替回路３は，チューナ１及びＨＤＭＩ受信部２ｘａ，２ｙａからの映像信号を入力し，それらの映像信号のうちの任意の１つの映像信号を制御回路６からの指示に従って選択して出力するものである。
【００２４】
前記映像処理回路４は，前記映像切替回路３から出力された映像信号に対して各種信号処理を行うものである。例えば，映像処理回路４は，映像切替回路３からの映像信号に，制御回路６から指定された情報の映像をスーパーインポーズする（重ね合わせる）ＯＳＤ機能を備えている。
前記映像表示部５は，液晶パネル及び液晶ドライバを備えた液晶表示部などにより構成され，映像処理回路４から出力される映像信号に基づく映像を表示するものである。
前記音声切替回路１０は，前記チューナ１からの音声信号及びＨＤＭＩ受信部２ｘａ，２ｙａからの音声信号が入力され，それらの音声信号のうちの任意の１つの音声信号を，制御回路６からの指示に従って音声処理回路１１に出力するものである。
前記音声処理回路１１は，音声切替回路１０から出力された信号に対し，イコライズ処理やＤ／Ａ変換処理等を行うものである。
前記アンプ１２は，音声処理回路１１による処理後の音声信号を，制御回路６からの指示に従って増幅或いは減衰させる処理（ボリューム調節処理）を行い，スピーカ１３に出力するものである。
【００２５】
テレビジョン受像機Ｘにおける前記制御回路６は，演算手段であるＭＰＵ６ａ，そのＭＰＵ６ａによって実行される制御プログラムが予め格納される記憶手段であるＲＯＭ６ｂ（ＥＰＲＯＭ），ＭＰＵ６ａが実行する処理において読み書きされる各種情報を記憶するＥＥＰＲＯＭ６ｃ等を備え，当該テレビジョン受像機Ｘ全体を制御するものである。以下に示す制御回路６の処理や機能は，ＭＰＵ６ａがＲＯＭ６ｂに記憶されたプログラムを実行することによって実現される。
前記サブＭＰＵ９は，録画再生装置Ｙにおける前記サブＭＰＵ２８と同様に，前記制御回路６と，前記リモコンインターフェース回路７及び前記ＣＥＣインターフェース２ｘｂとの間で情報伝送を中継する処理を実行するマイクロコンピュータである。
【００２６】
次に，図２に示すフローチャートを参照しつつ，録画システムＺにおける予約番組録画処理の手順について説明する。
図２に示す処理が実行される前に，前記制御回路２４により，予め前記番組予約情報がハードディスク２３（前記放送時間情報記憶手段の一例）に記録されているものとする。前述したように，前記番組予約情報には，予約録画の対象として指定された前記指定番組の放送チャンネルや放送時間（放送開始時刻及び放送終了時刻）の情報が含まれる。
以下，便宜上，前記ＣＥＣインターフェース２５ｂを通じて通信可能な複数の録画再生装置Ｙのうち，前記番組予約情報が予め記録されているある１つの装置を主・録画再生装置Ｙと称し，その他の装置を従・録画再生装置Ｙと称する。
なお，以下に示すＳ１０１，Ｓ１０２，…は，処理手順（ステップ）の識別符号を表す。また，以下に示すＭＰＵ２４ａの処理は，ＭＰＵ２４ａがＲＯＭ２４ｂに記憶されたプログラムを実行することによって実現される。
【００２７】
［主・録画再生装置Ｙ側の処理］
まず，予約番組録画処理における主・録画再生装置Ｙの処理について説明する。
［ステップＳ１０１，Ｓ１０２］
主・録画再生装置Ｙにおいては，まず，前記ＭＰＵ２４ａが，録画予約の時刻となったか否かを判別する（Ｓ１０１）。具体的には，ＭＰＵ２４ａは，不図示の計時回路により計時された現在時刻が，ハードディスク２３に記録された前記番組予約情報における録画開始時刻となったか否かを判別し，現在時刻がその録画開始時刻となったときに前記録画予約の時刻となったと判別する。
そして，前記ＭＰＵ２４ａは，録画予約の時刻となったと判別した場合，ハードディスク２３の残り容量Ｖｘを検知し，その残り容量Ｖｘに基づいて，ハードディスク２３への録画可能時間ｔ１（推定時間）を算出する（Ｓ１０２，前記録画可能時間算出手段の一例）。具体的には，ＭＰＵ２４ａは，前記番組予約情報に基づいて，録画予約の時刻となった前記指定番組の録画方式（録画画質）を特定し，その録画方式に応じた単位時間当たりの録画データのサイズＶ０とハードディスク２３の残容量Ｖｘとに基づいて録画可能時間ｔ１（＝Ｖｘ／Ｖ０）を算出する。なお，短時間当たりの録画データサイズＶ０は，録画方式ごとに，例えば，前記ＥＥＰＲＯＭ２４ｃ等に予め記憶され，それを前記ＭＰＵ２４ａが参照する。
【００２８】
［ステップＳ１０３〜Ｓ１０５］
次に，前記ＭＰＵ２４ａは，録画予約の時刻となった前記指定番組について，前記録画・再生回路２２による録画データの記録を開始させ，さらに，前記付加情報Ｄ０のうちの前記録画終了時刻ｄ５除く残りの情報（番組コードｄ１，番組タイトルｄ２，放送チェンネルｄ３及び録画開始時刻ｄ４）をハードディスク２３に記録する（Ｓ１０３）。
さらに，前記ＭＰＵ２４ａは，前記番組予約情報に基づいて，録画予約の時刻となった前記指定番組の放送時間ｔ２（放送終了時刻−放送開始時刻）を特定し（Ｓ１０４），その放送時間ｔ２とステップＳ１０２での録画可能時間ｔ１とを比較すること（ｔ１＜ｔ２であるか否か）により，録画完了不可状態であるか否かを判別する（Ｓ１０５，前記第１録画完了可否判別手段の一例）。ここで，前記録画完了不可状態とは，前記指定番組の全体について録画処理（ハードディスク２３への録画データの記録）を完了させることができない状態のことを意味する。
そして，前記ＭＰＵ２４ａは，前記録画完了不可状態（ｔ１＜ｔ２）であると判別した場合，以降に示すステップＳ１０６〜Ｓ１１２の処理を実行する。
【００２９】
［ステップＳ１０６〜Ｓ１０８］
前記ＭＰＵ２４ａは，前記録画完了不可状態であると判別した場合，まず，ハードディスク２３の残容量に基づいてハードディスク２３への録画可能時間を随時算出し，その録画可能時間が第１の設定時間（例えば１０分程度）未満となるまで監視する（Ｓ１０６）。その間，前記録画・再生回路２２による録画処理は継続されている。
そして，前記ＭＰＵ２４ａは，録画可能時間が前記第１の設定時間未満となったと判別すると，前記従・録画再生装置Ｙ（他の録画再生装置）に対し，録画可能時間を問い合わせるコマンドをＣＥＣインターフェース２５ｂを通じて送信し，その応答を受信する（Ｓ１０７）。ここで送信されるコマンドには，録画可能時間の算出に必要な前記録画方式（録画画質）の情報も含められる。この応答の受信により，前記ＭＰＵ２４ａは，前記従・録画再生装置Ｙそれぞれの録画可能時間を取得する。
また，前記ＭＰＵ２４ａは，ステップＳ１０７における前記従・録画再生装置Ｙ（他装置）への問合せ処理により得られた応答内容（録画可能時間）に基づいて，前記指定番組の一部について録画処理を分担させる前記従・録画再生装置Ｙ（分担録画先）を特定する（Ｓ１０８，前記分担録画装置特定手段の一例）。さらに，ＭＰＵ２４ａは，分担録画先として特定した前記従・録画再生装置Ｙに対し，録画中の前記指定番組の一部（主・録画再生装置Ｙで録画できない部分）についての録画処理の準備を行う旨を指示するコマンドを，ＣＥＣインターフェース２５ｂを通じて送信する（Ｓ１０８）。
例えば，前記ＭＰＵ２４ａは，ステップＳ１０８において，前記従・録画再生装置Ｙのうち，その録画可能時間が最も長い（ハードディスクの残容量が最も大きい）ものを前記分担録画先として特定する。
【００３０】
［ステップＳ１０９〜Ｓ１１１］
次に，前記ＭＰＵ２４ａにより，ハードディスク２３への録画可能時間が前記第１の設定時間よりも短い第２の設定時間（例えば１５秒程度）未満となったか否かを判別する処理（Ｓ１０９）と，前記録画・再生装置２２により，現在録画中の前記指定番組のチャンネルの放送がコマーシャル放送中であるか否かを判別する処理（Ｓ１１０）とが随時実行される。
そして，ハードディスク２３への録画可能時間が前記第１の設定時間未満となった後，同録画可能時間が前記第２の設定時間未満となるか，或いはコマーシャル放送中となるかのいずれかの条件が成立すると，前記ＭＰＵ２４ａは，ステップＳ１０８で分担録画先として特定した前記従・録画再生装置Ｙに対し，録画中の前記指定番組の残りの部分（一部）についての録画処理を開始するよう指示するコマンド（分担録画を指示するコマンド）を，ＣＥＣインターフェース２５ｂを通じて送信する（Ｓ１１１）。
このように，ＭＰＵ２４ａは，ステップＳ１０５で前記録画完了不可状態であると判別した場合に，録画対象である前記指定番組の一部（ハードディスク２３に録画可能な範囲内）について，録画・再生回路２２に録画処理を実行させる（Ｓ１０３）とともに，その指定番組の残りの一部について分担して録画処理を行うことを，ＨＤＭＩインターフェースＷ（前記通信手段の一例）を通じて他の録画再生装置Ｙ（従・録画再生装置Ｙ）に対して指示する（Ｓ１１１，前記録画分担制御手段の一例）。
【００３１】
［ステップＳ１１２〜Ｓ１１４］
そして，前記ＭＰＵ２４ａは，分担録画を指示するコマンドの送信後，前記録画・再生回路２２による録画処理を終了させ（Ｓ１１２），前記録画データ付加情報Ｄ０のうちの録画終了時刻ｄ５をハードディスク２３に記録（Ｓ１１４）した後，処理を終了させる。
一方，前記ＭＰＵ２４ａは，ステップＳ１０５において，前記録画完了不可状態（ｔ１＜ｔ２）ではないと判別した場合は，自装置単独での録画処理を実行する。即ち，前記ＭＰＵ２４ａは，ステップＳ１０３で録画処理を開始させた前記指定番組について，その録画処理の終了時刻（前記番組予約情報に含まれる録画終了時刻）となったか否かを随時判別し（Ｓ１１３），終了時刻となったことを検知すると，処理を前述したステップＳ１１４に移行させ，前記録画データ付加情報Ｄ０のうちの録画終了時刻ｄ５をハードディスク２３に記録（Ｓ１１４）した後，処理を終了させる。
【００３２】
［従・録画再生装置Ｙ側の処理］
続いて，予約番組録画処理における前記従・録画再生装置Ｙの処理について説明する。
［ステップＳ２０１，Ｓ２０２］
従・録画再生装置Ｙにおいては，まず，前記サブＭＰＵ２８が，他の録画再生装置Ｙ（ここでは，前記主・録画再生装置Ｙ）から，自装置での録画可能時間を問い合わせるコマンドがＣＥＣインターフェース２５ｂを通じて受信されるか否かを監視する（Ｓ２０１）。なお，ここで受信の監視が行われるコマンドは，前述したステップＳ１０７において前記主・録画再生装置Ｙから送信されるコマンドである。
そして，前記サブＭＰＵ２８が，録画可能時間を問い合わせるコマンドを受信すると，その旨が前記ＭＰＵ２４ａに通知され，ＭＰＵ２４ａが，主・録画再生装置ＹにおけるステップＳ１０２と同様に，録画可能時間ｔ１’を算出する（Ｓ２０２）。なお，前記サブＭＰＵ２８が，録画可能時間を問い合わせるコマンドを受信した際に，当該従・録画再生装置Ｙが前記待機状態である場合には，サブＭＰＵ２８は，前記通電スイッチ（不図示）の切り替え制御によって前記稼動状態に切り替えた（復帰させた）後に，ＭＰＵ２４ａに対してコマンドを受信した旨を通知する。
【００３３】
［ステップＳ２０３〜Ｓ２０５］
次に，前記ＭＰＵ２４ａは，コマンドの送信元である前記主・録画再生装置Ｙに対し，ステップＳ２０２で算出した録画可能時間ｔ１’を，ＣＥＣインターフェース２５ｂを通じて返信（応答）する（Ｓ２０３）。
さらに，ＭＰＵ２４ａは，録画可能時間ｔ１’の返信後，所定時間内に前記主・録画再生装置Ｙから，分担して録画処理を行うべき前記指定番組の一部（主・録画再生装置Ｙで録画できない部分）についての録画処理の準備を行う旨を指示するコマンドが受信されるか否かを監視する（Ｓ２０４）。なお，ここで受信の監視が行われるコマンドは，前述したステップＳ１０８において前記主・録画再生装置Ｙから送信されるコマンドである。
そして，前記ＭＰＵ２４ａは，録画処理の準備を行う旨を指示するコマンドが受信されたことを検知すると，そのコマンドにより指定された前記指定番組についての録画処理の準備を行う（Ｓ２０５）。具体的には，ＭＰＵ２４ａは，チューナ２１を制御することにより，前記主・録画再生装置Ｙから指定される前記指定番組のチャンネルを選局し，自装置の状態を，前記録画・再生回路２２によってその指定番組についての録画処理を即座に実行できる状態に保持する。
【００３４】
［ステップＳ２０６〜Ｓ２０８］
次に，前記ＭＰＵ２４ａは，前記主・録画再生装置Ｙから，分担して録画処理を行うべき前記指定番組の一部（主・録画再生装置Ｙで録画できない部分）についての録画処理を行う旨を指示するコマンドが受信されるか否かを監視する（Ｓ２０６）。なお，ここで受信の監視が行われるコマンドは，前述したステップＳ１１１において前記主・録画再生装置Ｙから送信されるコマンドである。
そして，前記ＭＰＵ２４ａは，録画処理を行う旨を指示するコマンドが受信されたことを検知すると，前記主・録画再生装置Ｙから録画することを指示された前記指定番組について，その時点から放送終了までの時間である残り放送時間ｔ２’を算出する（Ｓ２０７）。
さらに前記ＭＰＵ２４ａは，前記主・録画再生装置Ｙから録画することを指示された前記指定番組について，前記録画・再生回路２２による録画データの記録を開始させ，さらに，前記付加情報Ｄ０のうちの前記録画終了時刻ｄ５除く残りの情報（番組コードｄ１，番組タイトルｄ２，放送チェンネルｄ３及び録画開始時刻ｄ４）をハードディスク２３に記録する（Ｓ２０８）。このように，従・録画再生装置Ｙの録画・再生回路２２は，ＣＥＣインターフェース２５ｂを通じた前記主・録画再生装置Ｙ（他の録画装置の一例）からの指示（Ｓ１１１）に従って，その指示により指定される放送番組の一部についての録画処理を実行する（Ｓ２０８，前記一部指定番組録画手段の一例）。
【００３５】
［ステップＳ２０９〜Ｓ２１２］
そして，前記ＭＰＵ２４ａは，前記指定番組の残り放送時間ｔ２’とステップＳ２０２で算出した録画可能時間ｔ１’とを比較すること（ｔ１’＜ｔ２’であるか否か）により，前記主・録画再生装置Ｙから録画を指示された前記指定番組の一部について，録画処理（ハードディスク２３への録画データの記録）を完了させることができない前記録画完了不可状態であるか否かを判別する（Ｓ２０９）。
そして，前記ＭＰＵ２４ａは，前記録画完了不可状態（ｔ１’＜ｔ２’）であると判別した場合，前記主・録画再生装置Ｙ側で実行される前記ステップ１０６〜Ｓ１１２と同じ処理を実行する（Ｓ２１０）。
さらに，ＭＰＵ２４ａは，前記ステップＳ１１４と同様に，前記録画データ付加情報Ｄ０のうちの録画終了時刻ｄ５をハードディスク２３に記録（Ｓ２１２）した後，処理を終了させる。
一方，前記ＭＰＵ２４ａは，ステップＳ２０９において，前記録画完了不可状態（ｔ１’＜ｔ２’）ではないと判別した場合は，ステップＳ２０８で録画処理を開始させた前記指定番組について，その録画処理の終了時刻（ステップＳ２０７で前記主・録画再生装置Ｙから取得する情報）となったか否かを随時判別し（Ｓ２１１），終了時刻となったことを検知すると，処理を前述したステップＳ２１２に移行させ，前記録画データ付加情報Ｄ０のうちの録画終了時刻ｄ５をハードディスク２３に記録（Ｓ２１２）した後，処理を終了させる。
なお，前記ＭＰＵ２４ａは，ステップＳ２１２の処理を終了後，何らの操作も検知されず，他装置からのコマンド受信も受けない状態が所定時間以上継続した場合，又はステップＳ２０４において所定時間内に録画準備の指示コマンドが受信されなかった場合には，前記サブＭＰＵ２８に前記待機状態への移行処理を実行するよう指示する。これにより，従・録画再生装置Ｙは前記待機状態へ移行する。
【００３６】
以上に示したように，前記主・録画再生装置Ｙは，自装置のハードディスク２３に無駄な空き容量が生じないように，前記指定番組のうちの一部について録画可能な範囲で自装置による録画処理を実行し（Ｓ１０３，Ｓ１１２，Ｓ１１３），残りの一部については，その録画処理を前記従・録画再生装置Ｙに指示して分担させる（Ｓ１１１）。このため，前記主・録画再生装置Ｙが，自装置で前記指定番組についての録画処理を完了させることができない場合であっても，当該主・録画再生装置Ｙと前記従・録画再生装置Ｙとによって前記指定番組全体の録画データを分担して記録（録画）できる。
ところで，前記ステップＳ１０３及びＳ２０８においてハードディスク２３に記録される前記録画開始時刻ｄ４や，前記ステップＳ１１４及びＳ２１２においてハードディスク２３に記録される前記録画終了時刻ｄ５は，前記主・録画再生装置Ｙがその録画・再生回路２２により記録される録画データと，前記従・録画再生装置Ｙに記録させる録画データの録画順序を表す情報（前記録画順序関連情報の一例）でもある。従って，それら各ステップの処理を実行する前記ＭＰＵ２４ａは，前記録画順序関連情報記録手段の一例である。
また，前記主・録画再生装置Ｙの前記ＭＰＵ２４ａが実行する前記ステップＳ１１０〜Ｓ１１２の処理により，前記主・録画再生装置Ｙ側の前記録画・再生回路２２による録画処理を終了させる時点（Ｓ１２２）と，前記従・録画再生装置Ｙに録画処理の実行を開始させる時点（Ｓ１１１，Ｓ２０８）とが，前記録画・再生回路２２の処理（Ｓ１１０）によって前記指定番組の放送がコマーシャル放送中であると判別されている時間帯に設定される（前記録画分担制御手段の一例）。即ち，複数の録画再生装置Ｙにより分担して記録された複数の録画データが，コマーシャル放送中の部分で区分される。その結果，複数の録画データを順次切り替えて再生処理を実行する場合に，その切り替えの際に前記指定番組の内容そのもの（番組の本編の部分）が不連続な再生となって鑑賞し辛くなる状況を回避できる。
【００３７】
次に，図３に示すフローチャートを参照しつつ，録画システムＺにおける再生処理の手順について説明する。
図３に示す処理が実行される前に，図３に示した前記予約番組録画処理により，１又は複数の録画再生装置Ｙのハードディスク２３に録画データが記録されているものとする。前述したように，ハードディスク２３には録画データととともに前記録画データ付加情報Ｄ０が記録されている。
以下，便宜上，ＨＤＭＩインターフェースＷのＣＥＣインターフェース２５ｂを通じて通信可能な複数の録画再生装置Ｙのうち，そのハードディスク２３に録画データが記録されており，前記リモコン２７を通じた再生操作の対象となっているある１つの装置を主・録画再生装置Ｙと称し，その他の装置を従・録画再生装置Ｙと称する。なお，以下に示すＳ３０１，Ｓ３０２，…は，処理手順（ステップ）の識別符号を表す。
【００３８】
［主・録画再生装置Ｙ側の処理］
まず，再生処理における主・録画再生装置Ｙの処理について説明する。
［ステップＳ３０１，Ｓ３０２］
主・録画再生装置Ｙにおいては，まず，前記ＭＰＵ２４ａが，前記リモコン２７を通じた所定の選択操作（録画データを指定する操作）に従って，ハードディスク２３に記録されている録画データの中から再生用録画データ（前記指定録画データの一例）を選択（特定）し，さらに，所定の再生開始操作がなされたことを検知する（Ｓ３０１）。
次に，前記ＭＰＵ２４ａは，前記録画データ付加情報Ｄ０を参照することにより，前記再生用録画データについての前記録画開始時刻ｄ４及び前記録画終了時刻ｄ５と，前記番組コードｄ１とを特定する（Ｓ３０２）。
【００３９】
［ステップＳ３０３，Ｓ３０４］
さらに，ＭＰＵ２４ａは，前記従・録画再生装置Ｙ（他の録画再生装置）に対し，所定の問合せコマンドをＣＥＣインターフェース２５ｂを通じて送信するとともに，その応答を受信し（Ｓ３０３），その応答の内容に基づいて，前記再生用録画データが，１つの放送番組の一部ずつについて複数の録画再生装置Ｙに分散して記録された複数の録画データ（以下，分散録画データという）のいずれかであるか否かを判別する（Ｓ３０４，前記分散録画データ判別手段の一例）。なお，前記分散録画データは，図２に示した処理により，前記主・録画再生装置Ｙと前記従・録画再生装置Ｙとによって分担して録画処理がなされた結果得られた録画データである。
具体的には，前記ＭＰＵ２４ａは，まず，前記従・録画再生装置Ｙに対し，前記番組コードｄ１がステップＳ３０２で特定したものと一致する録画データ（以下，コード同一録画データという）が記録されているか否かを問い合わせるコマンドをＣＥＣインターフェース２５ｂを通じて送信し，その応答を受信する（Ｓ３０３）。ここで送信されるコマンドには，前記再生用録画データについての前記番組コードｄ１が含まれる。また，前記ＭＰＵ２４ａは，前記従・録画再生装置Ｙからの応答に，前記再生用録画データと同じ前記番組コードｄ１と，前記録画開始時刻ｄ４及び前記録画終了時刻ｄ５とが含まれているか否かにより，その応答を行った前記従・録画再生装置Ｙに，前記コード同一録画データが記録されているか否かを判別する。
そして，前記ＭＰＵ２４ａは，前記コード同一録画データが前記従・録画再生装置Ｙにも存在する場合に，それらのうちのある録画データの前記録画開始時刻ｄ４が他の録画データの前記録画終了時刻ｄ５に対して所定の時間範囲内にあるか否かを順次判別することにより，それらが前記分散録画データであるか否かを判別する（Ｓ３０４）。或いは，前記コード同一録画データそれぞれの前記録画開始時刻ｄ４が相互に所定時間以上離れているか否かによって前記分散録画データであるか否かを判別すること等も考えられる。
【００４０】
［ステップＳ３０５］
また，前記ＭＰＵ２４ａは，ステップＳ３０４において，前記再生用録画データが前記分散録画データの１つであると判別した場合，前記録画開始時刻ｄ４（前記録画順序関連情報の一例）に基づいて，それら分散録画データの再生順序を判別し，その判別結果を表す情報（以下，再生順序情報Ｄ１という）を，前記ＥＥＰＲＯＭ２４ｃに記録するとともに，前記分散録画データが記録されている前記従・録画再生装置Ｙに対してＣＥＣインターフェース２５ｂを通じて送信する（Ｓ３０５）。
図５は，前記再生順序情報Ｄ１のデータ構成の一例を表す図である。
図５に示すように，前記再生順序情報Ｄ１は，前記番組コードｄ１と，前記分散録画データそれぞれについての再生順序ｄ６及びその録画データが記録されている録画再生装置Ｙを識別する装置識別コードｄ７とが関連付けられた情報である。なお，前記装置識別コードｄ７は，予め録画再生装置Ｙそれぞれに設定（記憶）されている情報であり，ＣＥＣインターフェース２５ｂを通じた通信の際に，情報の送信先や送信元を特定するために用いられる。
【００４１】
［ステップＳ３０６，Ｓ３１１］
次に，前記ＭＰＵ２４ａは，自装置の前記分散録画データの再生順序が１番であるか否かを判別する（Ｓ３０６）。
ここで，ＭＰＵ２４ａは，自装置の前記分散録画データの再生順序が１番であると判別した場合，その分散録画データ（前記再生用録画データ）について，前記録画・再生装置２２による再生処理を開始させる（Ｓ３１１）。これにより，前記分散録画データに基づく映像信号及び音声信号が，前記ＨＤＭＩ送信部２５ａ及びＴＭＤＳライン４１を通じて出力される。このとき，ＭＰＵ２４ａは，自装置のＨＤＭＩ送信部２５ａを通じて出力される映像信号及び音声信号が前記テレビジョン受像機Ｘにおいて表示及び音声出力されるように，ＣＥＣインターフェース２５ｂを通じてテレビジョン受像機Ｘに対して入力切り替えの指示を行う（Ｓ３１１）。これにより，前記テレビジョン受像機Ｘは，前記主・録画再生装置ＹからＴＭＤＳライン４１を通じて伝送されてくる映像信号に基づく映像を前記映像表示部５に表示させるとともに，同ＴＭＤＳライン４１を通じて伝送されてくる音声信号に基づく音声を前記スピーカ１３から出力させる。
【００４２】
［ステップＳ３１２〜Ｓ３１３，Ｓ３１５，Ｓ３１６］
次に，前記ＭＰＵ２４ａは，前記分散録画データの再生処理が終了する所定時間（例えば，１分程度）前に，再生順序が次である前記従・録画再生装置Ｙに対し，前記分散録画データについての再生処理の準備を行う旨を指示するコマンドを，ＣＥＣインターフェース２５ｂを通じて送信する（Ｓ３１２）。
さらに，ＭＰＵ２４ａは，前記分散録画データの再生処理が終了する直前に，再生順序が次である前記従・録画再生装置Ｙに対し，前記分散録画データについての再生処理を開始させることを指示するコマンドを，ＣＥＣインターフェース２５ｂを通じて送信する（Ｓ３１３）。
その後，前記ＭＰＵ２４ａは，前記録画・再生回路２２による再生処理を終了させ（Ｓ３１５），さらに，前記サブＭＰＵ２８に前記待機状態への移行処理を実行するよう指示する（Ｓ３１６）。これにより，主・録画再生装置Ｙは前記待機状態へ移行し，主・録画再生装置Ｙ側の処理が終了する。
このように，ＭＰＵ２４ａは，録画・再生回路２２に前記指定録画データに基づく再生処理を行わせる処理（Ｓ３１１），及びＣＥＣインターフェース２５ｂを通じて他の録画再生装置Ｙに指示することにより前記分散録画データに基づく再生処理を行なわせる処理（Ｓ３１３）を，ステップＳ３０５で判別した再生順序に従った順序で実行する（前記分散録画データ再生制御手段の一例）。
【００４３】
［ステップＳ３１４〜Ｓ３１６］
一方，前記ＭＰＵ２４ａは，ステップＳ３０４において前記再生用録画データが前記分散録画データではないと判別した場合，ステップＳ３１１と同様に，前記再生用録画データについて，前記録画・再生装置２２による再生処理を開始させるとともに，自装置のＨＤＭＩ送信部２５ａを通じて出力される映像信号及び音声信号が前記テレビジョン受像機Ｘにおいて表示及び音声出力されるように，ＣＥＣインターフェース２５ｂを通じてテレビジョン受像機Ｘに対して入力切り替えの指示を行う（Ｓ３１４）。
その後，前記ＭＰＵ２４ａは，前記再生用録画データ全体について再生処理が完了した後，前記録画・再生回路２２による再生処理を終了させ（Ｓ３１５），さらに，前記サブＭＰＵ２８に前記待機状態への移行処理を実行するよう指示する（Ｓ３１６）。これにより，主・録画再生装置Ｙは前記待機状態へ移行し，主・録画再生装置Ｙ側の処理が終了する。
【００４４】
［ステップＳ３０７，Ｓ３０８］
一方，前記ＭＰＵ２４ａは，ステップＳ３０６において，自装置の前記分散録画データの再生順序が１番ではないと判別した場合，前記サブＭＰＵ２８に前記待機状態への移行処理を実行するよう指示する（Ｓ３０７）。これにより，主・録画再生装置Ｙは前記待機状態へ移行する。
その後，前記サブＭＰＵ２８が，他の録画再生装置Ｙ（ここでは，前記従・録画再生装置Ｙ）から，前記分散録画データについての再生処理の準備を行うよう指示するコマンドコマンドがＣＥＣインターフェース２５ｂを通じて受信されるか否かを監視する（Ｓ３０８）。なお，ここで受信の監視が行われるコマンドは，後述するステップＳ４１１において前記従・録画再生装置Ｙから送信されるコマンドである。
【００４５】
［ステップＳ３０９，Ｓ３１０］
そして，前記サブＭＰＵ２８が，前記分散録画データの再生処理の準備を行う旨を指示するコマンドが受信されたことを検知すると，サブＭＰＵ２８及び前記ＭＰＵ２４ａが，そのコマンドにより指定された前記分散録画データについての再生処理の準備を行う（Ｓ３０９）。
具体的には，まず，サブＭＰＵ２８が，前記通電スイッチ（不図示）の切り替え制御によって前記稼動状態に切り替えた（復帰させた）後に，ＭＰＵ２４ａに対してコマンドを受信した旨を通知する。そして，起動したＭＰＵ２４ａが，自装置の状態を，前記録画・再生回路２２によって前記分散録画データについての再生処理を即座に実行できる状態に保持する。
次に，前記ＭＰＵ２４ａは，前記主・録画再生装置Ｙから，分担して録画処理を行うべき前記指定番組の一部（主・録画再生装置Ｙで録画できない部分）についての録画処理を行う旨を指示するコマンドが受信されるか否かを監視する（Ｓ２０６）。なお，ここで受信の監視が行われるコマンドは，前述したステップＳ１１１において前記主・録画再生装置Ｙから送信されるコマンドである。
そして，前記ＭＰＵ２４ａは，前記分散録画データの再生処理を行うことを指示するコマンドが受信されたことを検知すると，処理を前述したステップＳ３１１〜Ｓ３１３，Ｓ３１５及びＳ３１６へ移行させる。
これにより，主・録画再生装置Ｙに記録されている前記分散録画データの再生処理が，再生順序が１つ前の前記分散録画データの再生処理（他の録画再生装置Ｙで実行される再生処理）の終了に引き続き実行され，その映像及び音声が前記テレビジョン受像機Ｘによって表示及び出力される。
但し，ＭＰＵ２４ａは，ステップＳ３１２の処理を実行する前に，前記再生順序情報Ｄ１に基づいて，再生順序が次である前記従・録画再生装置Ｙが存在しないと判別した場合，ステップＳ３１２及びＳ３１３の処理をスキップさせる。
【００４６】
［従・録画再生装置Ｙ側の処理］
続いて，再生処理における前記従・録画再生装置Ｙの処理について説明する。
［ステップＳ４０１，Ｓ４０２］
従・録画再生装置Ｙにおいては，まず，前記サブＭＰＵ２８が，他の録画再生装置Ｙ（ここでは，前記主・録画再生装置Ｙ）から，自装置に前記コード同一録画データが存在するか否かを問い合わせるコマンドがＣＥＣインターフェース２５ｂを通じて受信されるか否かを監視する（Ｓ４０１）。なお，ここで受信の監視が行われるコマンドは，前述したステップＳ３０３において前記主・録画再生装置Ｙから送信されるコマンドである。
そして，前記サブＭＰＵ２８が，前記コード同一録画データの存否を問い合わせるコマンドを受信すると，その旨が前記ＭＰＵ２４ａに通知され，ＭＰＵ２４ａが，ハードディスク２３に記録されている前記録画データ付加情報Ｄ０を参照することにより，前記コード同一録画データの存否を確認し，その確認結果を前記主・録画再生装置Ｙに対してＣＥＣインターフェース２５ｂを通じて返信する（Ｓ４０２）。なお，前記サブＭＰＵ２８が，前記コード同一録画データの存否を問い合わせるコマンドを受信した際に，当該従・録画再生装置Ｙが前記待機状態である場合には，サブＭＰＵ２８は，前記通電スイッチ（不図示）の切り替え制御によって前記稼動状態に切り替えた（復帰させた）後に，ＭＰＵ２４ａに対してコマンドを受信した旨を通知する。
【００４７】
［ステップＳ４０３，Ｓ４０４］
さらに，前記ＭＰＵ２４ａは，ステップＳ４０２の処理の後，所定時間内に前記主・録画再生装置Ｙから前記再生順序情報Ｄ１が受信されるか否かを監視する（Ｓ４０３）。なお，ここで受信の監視が行われる前記再生順序情報Ｄ１は，前述したステップＳ３０５において前記主・録画再生装置Ｙから送信される情報である。
そして，前記ＭＰＵ２４ａは，所定時間内に前記再生順序情報Ｄ１が受信されたことを検知すると，その再生順序情報Ｄ１を前記ＥＥＰＲＯＭ２４ｃに記録する（Ｓ４０４）。
【００４８】
［ステップＳ４０５〜Ｓ４１４］
さらに，従・録画再生装置Ｙの前記ＭＰＵ２４ａは，前記主・録画再生装置Ｙ側のステップＳ３０６〜Ｓ３１３，Ｓ３１５及びＳ３１６と同じ処理を実行する（Ｓ４０５〜Ｓ４１４）。但し，ステップＳ４０７で受信される再生準備指示のコマンドや，ステップＳ４０９で受信される再生指示のコマンドの送信元，及びステップＳ４１１で送信される再生準備指示のコマンドや，ステップＳ４１２で送信される再生指示のコマンドの送信先は，他の録画再生装置Ｙのいずれかであり，前記主・録画再生装置Ｙであるとは限らない。
これにより，従・録画再生装置Ｙに記録されている前記分散録画データの再生処理が，再生順序が１つ前の前記分散録画データの再生処理（他の録画再生装置Ｙで実行される再生処理）の終了に引き続き実行され，その映像及び音声が前記テレビジョン受像機Ｘによって表示及び出力される。
但し，前記ＭＰＵ２４ａは，ステップＳ４１１の処理を実行する前に，前記再生順序情報Ｄ１に基づいて，再生順序が次である前記従・録画再生装置Ｙが存在しないと判別した場合，ステップＳ４１１及びＳ４１２の処理をスキップさせる。
また，前記ＭＰＵ２４ａは，前記ステップＳ４０３において，所定時間内に主・録画再生装置Ｙから前記再生順序情報Ｄ１（図５参照）が受信されなかった場合，そのまま前述したステップＳ４１４の処理を実行することによって自装置の状態を前記待機モードへ移行させる。
【００４９】
以上に示したように，録画・再生装置Ｙは，図２に示した処理を実行することにより複数の装置で分担して記録した複数の録画データ（前記分散録画データ）について，前記録画データ付加情報Ｄ０における前記録画開始時刻ｄ４（又は前記録画終了時刻ｄ５）に基づいてその録画順序を判断し，その録画順序（前記録画開始時刻ｄ４の順序）と同じ順序で自動的に再生処理が実行されるように自装置及び他装置を制御する。その結果，複数の録画データのそれぞれについて再生処理を開始させるというユーザの手間が省かれる。
【００５０】
以上に示した実施形態では，録画再生装置Ｙが録画データをハードディスク２３に記録する例を示したが，録画データが記録されるデータ記録媒体としては，ハードディスクの他，例えばＤＶＤやＣＤ−ＲＯＭ等の他の媒体も考えられる。
また，前記録画再生装置Ｙは，他装置と通信を行う手段として前記ＨＤＭＩインターフェースＷ（特に，前記ＣＥＣインターフェース２５ａ）を備えるが，他装置との通信手段として他の通信インターフェースを備えるものも考えられる。
また，図２に示した番組録画処理では，前記ＭＰＵ２４ａが，ステップＳ１０５において前記録画完了不可状態であると判別（Ｓ１０５）した場合に，前記ＣＥＣインターフェース２５ｂを通じて他の録画再生装置Ｙに問合せを行う（Ｓ１０７）ことにより，前記指定番組の一部について録画処理を分担させる他の録画再生装置Ｙを特定する（Ｓ１０８）例を示した。その他，前記録画完了不可状態であると判別した場合の録画処理の分担先は，ユーザによる前記リモコン２７の操作に従って予め設定（記憶）すること等も考えられる。
また，前記実施形態では，前記主・録画再生装置Ｙが，ＣＥＣインターフェース２５ｂを通じて前記従・録画再生装置Ｙに対して直接的に問合せや指示を行う例を示したが，例えば前記テレビジョン受像機Ｘ等の他の装置を介して間接的に問合せや指示を行うことも考えられる。
また，前記主・録画再生装置Ｙに対する前記指定番組の指定（前記番組予約情報の設定）や前記再生用録画データの指定（選択）は，例えばテレビジョン受像機Ｘのリモコン８の操作により情報入力が行われ，入力情報がテレビジョン受像機ＸからＣＥＣインターフェース２５ｂを通じて前記主・録画再生装置Ｙに伝送されることによって実現される例も考えられる。
【００５１】
また，前記録画完了不可状態の判別方法は，前記実施形態において示した方法（ステップＳ１０２，Ｓ１０４及びＳ１０５）以外の方法も考えられる。
例えば，図２に示すステップＳ１０２において，前記ＭＰＵ２４ａが，前記番組予約情報に含まれる前記指定番組の放送時間の情報に基づいて，前記指定番組全体の録画処理に要するハードディスク２３の必要容量を算出し（前記必要容量算出手段の一例），さらに，その算出結果とハードディスク２３の残り容量との比較をステップＳ１０５において行い，その比較結果によって前記録画完了不可状態であるか否かを判別することも考えられる（前記第２録画完了可否判別手段の一例）。
より具体的には，ＭＰＵ２４ａが，前記番組予約情報に基づいて，録画予約の時刻となった前記指定番組の録画方式（録画画質）及び放送時間の長さを特定し，その録画方式に応じた単位時間当たりの録画データのサイズＶ０に放送時間を乗算することによってハードディスク２３の必要容量を算出し，その算出結果とハードディスク２３の残容量Ｖｘと比較すること等が考えられる。
【００５２】
また，前記ＭＰＵ２４ａが，前記録画・再生回路２２による前記指定番組についての録画処理の実行中に，その録画処理を続行できなくなる障害の発生有無を随時検知し，その検知結果により前記録画完了不可状態であるか否かを判別することも考えられる（前記第３録画完了可否判別手段の一例）。例えば，前記ＭＰＵ２４ａが，録画処理中にチューナ２１や録画・再生回路２２等の部品の故障の発生有無を随時検知し，その故障を検知した場合に，即座に図２に示したステップＳ１０７〜Ｓ１１２及びＳ１１４の処理を実行することが考えられる。この場合，前記ＭＰＵ２４ａは，録画可能時間がない（０秒である）と判別（Ｓ１０９）し，他装置への分担録画の指示（Ｓ１１１）を，故障の検知後速やかに実行する。
【００５３】
また，前記実施形態では，前記録画データ付加情報Ｄ０において，録画開始時刻ｄ４や録画終了時刻ｄ５が，録画データの録画順序を表す情報（前記録画順序関連情報の一例）として機能する例を示した。これに対し，前記ＭＰＵ２４ａが，他の装置と分担して録画処理を行う場合に，録画順序（再生順序といってもよい）そのものを前記録画データ付加情報Ｄ０に含めてハードディスク２３に記録すること等も考えられる。この場合，前記ＭＰＵ２４ａは，前記分散録画データについての再生処理の際に，前記録画データ付加情報Ｄ０に含まれる録画順序情報に従って再生順序を制御すればよい。
【産業上の利用可能性】
【００５４】
本発明は，テレビジョン受像機などの映像表示装置に利用可能である。
【図面の簡単な説明】
【００５５】
【図１】本発明の実施形態に係る録画再生装置Ｙを含む録画システムＺの概略構成を表すブロック図。
【図２】録画システムＺにおける予約番組録画処理の手順を表すフローチャート。
【図３】録画システムＺにおける再生処理の手順を表すフローチャート。
【図４】録画再生装置Ｙが記録する録画データ付加情報のデータ構成の一例を表す図。
【図５】録画再生装置Ｙが他装置に通知する再生順序情報のデータ構成の一例を表す図。
【符号の説明】
【００５６】
Ｘ      ：テレビジョン受像機
Ｙ      ：録画再生装置
Ｚ      ：録画システム
１，２１：チューナ
２ｘａ，２ｙａ：ＨＤＭＩ受信部
２ｘｂ，２５ｂ：ＣＥＣインターフェース
３      ：映像切替回路
４      ：映像処理回路
５      ：映像表示部
６，２４：制御回路
７，２６：リモコンインターフェース回路
８，２７：リモコン
９，２８：サブＭＰＵ
１０    ：音声切替回路
１１    ：音声処理回路
１２    ：アンプ
１３    ：スピーカ
２２    ：録画・再生回路
２３    ：ハードディスク
２５ａ  ：ＨＤＭＩ送信部
４０    ：ＨＤＭＩケーブル
４１    ：ＴＭＤＳライン
４２    ：ＣＥＣライン
Ｄ０    ：録画データ付加情報
Ｄ１    ：再生順序情報
ｄ１    ：番組コード
ｄ２    ：番組タイトル
ｄ３    ：放送チャンネル
ｄ４    ：録画開始時刻
ｄ５    ：録画終了時刻
ｄ６    ：再生順序
ｄ７    ：装置識別コード
Ｓ１０１，Ｓ１０２，〜：処理手順（ステップ）
【図１】
2008263296.tif 000003
【図２】
2008263296.tif 000004
【図３】
2008263296.tif 000005
【図４】
2008263296.tif 000006
【図５】
2008263296.tif 000007